(57)【要約】      （修正有）【課題】履物の特に内面側を綺麗に洗うことができる履物洗濯ネットを提供する。【解決手段】履物を収容する通水性のある袋体２を備える履物洗濯ネット１において、例えば大人用のスニーカーや子供用の上履き等の履物の動きを規制するように履物を保持する履物収容室１２ａ，１２ｂを、袋体の内部を仕切り布１１で仕切ることによって形成し、表面に多数の突起１８が設けられた可撓性のある棒状洗浄体１５を、履物収容室に保持された履物の内部に差し込み可能に配設する。【選択図】図２
0003209912.tif 000002
【実用新案登録請求の範囲】
【請求項１】
履物を収容する通水性のある袋体を備える履物洗濯ネットにおいて、
履物の動きを規制するように履物を保持する履物収容室を前記袋体の内部を仕切ることによって形成し、表面に多数の突起が設けられた可撓性のある棒状洗浄体を、前記履物収容室によって保持される履物の内部に差し込み可能に前記袋体の内部に配設したことを特徴とする履物洗濯ネット。
【請求項２】
前記袋体の内部を仕切ることによって形成される少なくとも２つの前記履物収容室のそれぞれに対応するように複数の前記棒状洗浄体を配設したことを特徴とする請求項１に記載の履物洗濯ネット。
【考案の詳細な説明】
【技術分野】
【０００１】
本考案は、洗濯機を利用してスニーカーやスリッパ等の履物を洗浄する際に用いる履物洗濯ネットに関するものである。
【背景技術】
【０００２】
従来、スニーカーやスリッパ等の履物の汚れはブラシを使用して手洗いしていたが、手洗いは手間がかかり、かつ汚れを綺麗に洗浄できないことから、最近では、これらの履物類をネット生地からなる袋体に収容して洗濯機で洗浄することが行われている（例えば、特許文献１参照）。
【先行技術文献】
【特許文献】
【０００３】
【特許文献１】実用新案登録第３２０６７９５号公報
【０００４】
上記特許文献１に係る洗濯ネットにおいては、例えばパイル状の突起が袋体の内面側の一部または全部に設けられており、該突起が洗濯ネット内の履物の外面側を擦ることにより、履物の外面側の汚れが掻き落とされ、履物の外面側を綺麗に洗うことができるようにされている。
【０００５】
しかしながら、この特許文献１に係る洗濯ネットでは、袋体の内面側に設けられた突起で履物の内面側を擦ることができないため、履物の内面側は洗浄水流による洗浄効果のみとなり、履物の内面側を綺麗に洗うことができないという問題点がある。
【考案の概要】
【考案が解決しようとする課題】
【０００６】
本考案は、前述のような問題点に鑑みてなされたもので、履物の特に内面側を綺麗に洗うことができる履物洗濯ネットを提供することを目的とするものである。
【課題を解決するための手段】
【０００７】
前記目的を達成するために、本考案による履物洗濯ネットは、
履物を収容する通水性のある袋体を備える履物洗濯ネットにおいて、
履物の動きを規制するように履物を保持する履物収容室を前記袋体の内部を仕切ることによって形成し、表面に多数の突起が設けられた可撓性のある棒状洗浄体を、前記履物収容室によって保持される履物の内部に差し込み可能に前記袋体の内部に配設したことを特徴とするものである（第１考案）。
【０００８】
本考案において、前記袋体の内部を仕切ることによって形成される少なくとも２つの前記履物収容室のそれぞれに対応するように複数の前記棒状洗浄体を配設するのが好ましい（第２考案）。
【考案の効果】
【０００９】
本考案の履物洗濯ネットによれば、履物を収容した袋体が洗濯槽内で攪拌される際に、履物が無造作に動くことなく履物収容室によって保持される一方で、履物の内部で棒状洗浄体が動き回ってその棒状洗浄体の表面に多数設けられた突起によって履物の内面側の汚れが掻き落とされるので、履物の特に内面側を綺麗に洗うことができる。
【００１０】
第２考案の構成を採用することにより、例えば履物として大人用のスニーカーを収容する場合と子供用の上履きを収容する場合とがあっても、それぞれの場合に応じて、棒状洗浄体の履物への差し込み形態を変化させることができて、いずれの場合であっても履物の特に内面側を綺麗に洗うことができる。
【図面の簡単な説明】
【００１１】
【図１】本考案の一実施形態に係る履物洗濯ネットを示す図で、（ａ）は正面図、（ｂ）は背面図、（ｃ）は平面図、（ｄ）は底面図である。
【図２】同履物洗濯ネットにおける袋体の背面側を破断して示す内部構造の模式図である。
【図３】同履物洗濯ネットの内部構造を模式的に示す横断面図で、（ａ）は１足分の大人用スニーカーを収容した状態図、（ｂ）は２足分の子供用上履きを収容した状態図である。
【図４】（ａ）は図３（ａ）のＡ−Ａ線断面図で、（ｂ）は図３（ｂ）のＢ−Ｂ線断面図である。
【考案を実施するための形態】
【００１２】
次に、本考案による履物洗濯ネットの具体的な実施の形態について、図面を参照しつつ説明する。
【００１３】
＜履物洗濯ネットの概略説明＞
図１（ａ）〜（ｄ）に示される本実施形態の履物洗濯ネット１は、履物を収容する通水性のある袋体２を備え、この袋体２の内部にスニーカーやスリッパ等の履物を入れ、洗濯機を利用して履物を洗浄することができるように構成されている。
【００１４】
＜袋体の説明＞
袋体２は、内面網体３と外面網体４とを重ね合わせてなる二重構造の網製で、図１（ｃ）に示されるように、上部に開口部５を設け、この開口部５にスライドファスナー６を配設し、スライドファスナー６の操作により、開口部５を開閉することができるようになっている。
【００１５】
内面網体３と外面網体４との間には、例えば樹脂発砲材よりなるリング状のクッション材７や棒状のクッション材８が、袋体２の正面、背面、側面、底面の要所に配設され、これらクッション材７，８の周りにおける内面網体３と外面網体４との適宜箇所を繋ぎ止めて形成されるポケット状部で遊びを持ってクッション材７，８を保持することにより、クッション材７，８が無造作に動くのを規制しつつ履物の大きさ等に応じて位置を調節することができるようにされている。こうして、袋体２に収容された履物が洗濯槽内面に衝突した際の衝撃をクッション材７，８で吸収して、履物の型崩れや損傷、洗濯槽稼働時の異音の発生等を防止するようにされている。
【００１６】
図２に示されるように、内面網体３は、袋体２の内面を構成するものであり、この内面網体３における履物と接触する側の表面全体には、多数の突起１０が形成されている。この突起１０は、例えばポリエステル、ナイロン、ポリプロピレン等の樹脂素材からなり、突起１０の形状は、例えばパイル状、繊維の編み込み状、起毛状などが好ましい。こうして、履物を袋体２に収容して洗濯槽に投入すると、洗濯機稼働中の水流により、袋体２の内面の突起１０が袋体２に収容された履物の外面側を擦ることによって履物の外面側の汚れが掻き落とされ、優れた洗浄効果を得ることができる。
【００１７】
＜仕切り布の説明＞
袋体２の内部には、シート状網体よりなる仕切り布１１が、袋体２の正面側部分２ａと背面側部分２ｂとを繋ぐように配設され（図３（ａ）および（ｂ）参照）、この仕切り布１１で袋体２の内部が図２において左右に仕切られており、この仕切り布１１によって袋体２の内部には、複数（本例では２つ）の履物収容室１２ａ，１２ｂが区画形成されている。なお、仕切り布１１における履物と接触する側の表面全体には、上記の突起１０と同様の突起１３が多数形成されている。
【００１８】
＜棒状洗浄体の説明＞
さらに、袋体２の内部には、履物収容室１２ａ，１２ｂによって保持される履物の内部に差し込み可能に棒状洗浄体１５が配設されている。各履物収容室１２ａ，１２ｂには、複数本の棒状洗浄体１５が宛がわれ、本例では各履物収容室１２ａ，１２ｂに対し棒状洗浄体１５が２本ずつ配設され、２つの履物収容室１２ａ，１２ｂに対して合計４本の棒状洗浄体１５が配設されている。棒状洗浄体１５は、例えば樹脂発砲材よりなる可撓性を有する棒状のクッション材１６の表面全体を網体１７で被覆し、この網体１７における履物と接触する側の表面全体に前記突起１０，１３と同様の突起１８を多数形成してなるものであり、棒状洗浄体１５の基端部（上端部）が袋体２における正面側部分の上部に縫着され、棒状洗浄体の先端（下端）側が自由端とされて袋体２の底部付近まで垂れ下がるような形態とされている。
【００１９】
図３（ａ）に示されるように、袋体２においては、左右一組の履物収容室１２ａ，１２ｂにより、例えば大人用のスニーカー２０の場合は一足分、図３（ｂ）に示されるように、子供用の上履き２１の場合は２足分収容できるような収容スペースに設定されている。図３（ａ）に示されるように、大人用のスニーカー２０を収容する場合は、左右いずれか一方のスニーカー２０ａを左右いずれか一方の履物収容室１２ａで収容し、左右いずれか他方のスニーカー２０ｂを左右いずれか他方の履物収容室１２ｂで収容することになる。図３（ｂ）に示されるように、子供用の上履き２１を収容する場合は、個々の履物収容室１２ａ，１２ｂで一足分の上履き２１を収容することになる。
【００２０】
袋体２において、図３（ａ）に示されるように、大人用のスニーカー２０を収容する場合は、収容されている片方のスニーカー２０ａ，２０ｂの動きを規制するように各履物収容室１２ａ，１２ｂが片方のスニーカー２０ａ，２０ｂを保持するとともに、図３（ｂ）に示されるように、子供用の上履き２１を収容する場合は、収容されている一足分の上履き２１の動きを規制するように各履物収容室１２ａ，１２ｂが一足分の上履き２１を保持するように、各履物収容室１２ａ，１２ｂの区画スペースの大きさが設定されている。
【００２１】
図３（ａ）に示されるように、左右一組の履物収容室１２ａ，１２ｂで一足分の大人用のスニーカー２０を収容する場合、各履物収容室１２ａ，１２ｂには片方のスニーカー２０ａ，２０ｂが収容され、各履物収容室１２ａ，１２ｂに対応して配設される２本の棒状洗浄体１５の両方がその片方のスニーカー２０ａ，２０ｂの内部に差し込まれる。
【００２２】
図３（ｂ）に示されるように、左右一組の履物収容室１２ａ，１２ｂで二足分の子供用の上履き２１を収容する場合、各履物収容室１２ａ，１２ｂには一足分の上履き２１が収容され、各履物収容室１２ａ，１２ｂに対応して配設される２本の棒状洗浄体１５のうち、一方の棒状洗浄体１５が左右いずれか一方の上履き２１ａの内部に、他方の棒状洗浄体１５が左右いずれか他方の上履き２１ｂの内部に、それぞれ差し込まれる。
【００２３】
以上に述べたように構成される履物洗濯ネット１を用いて履物を洗濯する際には、まず、図１（ｃ）に示されるように、スライドファスナー６の操作で開口部５を開いた状態として、履物を袋体２の内部に収納する。ここで、履物が例えば大人用のスニーカー２０の場合、図３（ａ）に示されるように、左右いずれか一方のスニーカー２０ａを左右いずれか一方の履物収容室１２ａに収納し、左右いずれか他方のスニーカー２０ｂを左右いずれか他方の履物収容室１２ｂに収納する。履物が例えば子供用の上履き２１の場合、図３（ｂ）に示されるように、個々の履物収容室１２ａ，１２ｂに一足分の上履き２１を収容する。
【００２４】
図４（ａ）および（ｂ）に示されるように、履物が大人用のスニーカー２０および子供用の上履き２１のいずれの場合であっても、爪先側を袋体２の底部側に向け、かつスニーカー２０（上履き２１）の上部側部分を袋体２の正面側部分２ａと対向させるとともに、スニーカー２０（上履き２１）の底部側部分を袋体２の背面側部分２ｂと対向させて、袋体２における棒状洗浄体１５が取り付けられている側にスニーカー２０（上履き２１）の足挿入口が向くように履物収容室１２ａ，１２ｂにスニーカー２０（上履き２１）を収納する。
【００２５】
そして、履物が大人用のスニーカー２０の場合、図３（ａ）および図４（ａ）に示されるように、各履物収容室１２ａ，１２ｂに対応して配設される２本の棒状洗浄体１５の両方を各履物収容室１２ａ，１２ｂに収容されている片方のスニーカー２０ａ，２０ｂの内部に差し込み、スライドファスナー６の操作で開口部５（図１（ｃ）参照）を閉じた後、履物洗濯ネット１を洗濯機の洗濯槽内に投入する。
【００２６】
一方、履物が子供用の上履き２１の場合、図３（ｂ）および図４（ｂ）に示されるように、各履物収容室１２ａ，１２ｂに対応して配設される２本の棒状洗浄体１５のうち一方の棒状洗浄体１５を、各履物収容室１２ａ，１２ｂに収容されている一足分の上履き２１の左右いずれか一方の上履き２１ａの内部に差し込むとともに、他方の棒状洗浄体１５を左右いずれか他方の上履き２１ｂの内部に差し込み、スライドファスナー６の操作で開口部５（図１（ｃ）参照）を閉じた後、履物洗濯ネット１を洗濯機の洗濯槽内に投入する。
【００２７】
洗濯機稼働中において、スニーカー２０（上履き２１）を収容した袋体２が洗濯槽内で攪拌されても、スニーカー２０（上履き２１）は無造作に動くことなく履物収容室１２ａ，１２ｂによって保持される。
【００２８】
また、洗濯機稼働中の水流により、スニーカー２０（上履き２１）の外面側の汚れが袋体２の内面に多数設けられた突起１０，１３によって掻き落とされるとともに、スニーカー２０（上履き２１）の内部で棒状洗浄体１５が動き回ってその棒状洗浄体１５の表面に多数設けられた突起１８によってスニーカー２０（上履き２１）の内面側の汚れが掻き落とされる。これにより、スニーカー２０（上履き２１）の外面側および内面側の両方を同時に綺麗に洗うことができる。
【００２９】
また、大人用のスニーカー２０を収容する場合と子供用の上履き２１を収容する場合とがあっても、大人用のスニーカー２０の場合は各履物収容室１２ａ，１２ｂに収容されている片方のスニーカー２０ａ，２０ｂに対して、２本の棒状洗浄体１５の両方を差し込み、子供用の上履き２１の場合は各履物収容室１２ａ，１２ｂに収容されている一足分の上履き２１に対して、２本の棒状洗浄体１５を１本ずつ差し込むといった具合に、それぞれの場合に応じて、棒状洗浄体１５の履物への差し込み形態を変化させることができて、いずれの場合でもスニーカー２０（上履き２１）の外面側および内面側の両方を同時に綺麗に洗うことができる。
【００３０】
以上、本考案の履物洗濯ネットについて、一実施形態に基づいて説明したが、本考案は上記実施形態に記載した構成に限定されるものではなく、その趣旨を逸脱しない範囲において適宜その構成を変更することができるものである。
【００３１】
例えば、袋体２の内部に配設される仕切り布１１を２枚以上配設することで、３つ以上の履物収容室を区画形成する態様もあり得る。
【産業上の利用可能性】
【００３２】
本考案の履物洗濯ネットは、履物の特に内面側を綺麗に洗うことができるというという特性を有していることから、特に、足の爪先部分から甲部に亘って覆うような上部構造であるスニーカー等のような履物を、洗濯機を利用して洗浄する用途に好適に用いることができ、産業上の利用可能性が大である。
【符号の説明】
【００３３】
１              履物洗濯ネット
２              袋体
１１            仕切り布
１２ａ，１２ｂ  履物収容室
１５            棒状洗浄体
１８            突起
２０            スニーカー
２１            上履き
【図１】
0003209912.tif 000003
【図２】
0003209912.tif 000004
【図３】
0003209912.tif 000005
【図４】
0003209912.tif 000006